(57)【特許請求の範囲】
【請求項１】
ドアを所定の位置に留めるために床面に設置可能なドアストッパであって、
第１の球体を第１の割平面により切断した球欠の外形を有する第１のストッパ部と、
第２の球体を第２の割平面により切断した球欠の外形を有する第２のストッパ部と、
前記第１のストッパ部の切断面と前記第２のストッパ部の切断面とを互いに連結する連結部と
を備え、
前記第１のストッパ部の球冠及び前記第２のストッパ部の球冠は、それぞれ前記床面と前記ドアのドア面の双方に接触可能に構成される、
ドアストッパ。
【請求項２】
前記連結部は、
前記第１のストッパ部の前記切断面に固定される第１の固定部と、
前記第２のストッパ部の前記切断面に固定される第２の固定部と、
前記第１の固定部と前記第２の固定部とを互いに接続する帯部と
を有する、請求項１に記載のドアストッパ。
【請求項３】
前記連結部の前記帯部の幅は、前記第１の球体の前記第１の割平面との交円の直径よりも小さい、請求項２に記載のドアストッパ。
【請求項４】
前記連結部の前記帯部の幅は、前記第２の球体の前記第２の割平面との交円の直径よりも小さい、請求項２又は３に記載のドアストッパ。
【請求項５】
前記連結部の前記帯部は、その長手方向の中間部を折り曲げて接着した把手部を有する、請求項２から４のいずれか一項に記載のドアストッパ。
【請求項６】
前記第１の球体の半径と前記第２の球体の半径とが同一である、請求項１から５のいずれか一項に記載のドアストッパ。
【請求項７】
前記第１の球体の中心から前記第１の割平面までの距離と、前記第２の球体の中心から前記第２の割平面までの距離とが同一である、請求項１から６のいずれか一項に記載のドアストッパ。
【発明の詳細な説明】
【技術分野】
【０００１】
本発明は、ドアストッパに係り、特にドアを任意の位置に留めておくことが可能なドアストッパに関するものである。
【背景技術】
【０００２】
従来からドアを任意の位置に留めておくためのドアストッパとして、床面及びドア面に対して大きな摩擦力を生じさせることができる材料から形成される球形部材を用いたものが知られている（例えば、特許文献１参照）。この種のドアストッパは、ドアストッパが設置された側に向かって移動してくるドアをその位置に留めることができる構成となっているため、例えばドアクローザの作用により一方向に移動するドアをその途中の位置に留めることができる。しかしながら、ドアクローザが装備されていない場合や風が吹いてドアストッパが設置された側とは反対方向にドアが移動するような場合には、ドアの移動を制止することができない。また、上述した従来のドアストッパを設置又は撤去する際には、使用者は球形部材を収容しているハウジングを持つ必要があるが、このハウジングは、ドアストッパの設置時に床面と接触するため、床面上の塵や埃が付着しやすく、衛生上問題がある。
【先行技術文献】
【特許文献】
【０００３】
【特許文献１】特開２０１７−６１８１２号公報
【発明の概要】
【発明が解決しようとする課題】
【０００４】
本発明は、このような従来技術の問題点に鑑みてなされたもので、ドアの移動を両方向で制止することができる衛生的なドアストッパを提供することを目的とする。
【課題を解決するための手段】
【０００５】
本発明の一態様によれば、ドアの移動を両方向で制止することができる衛生的なドアストッパが提供される。このドアストッパは、ドアを所定の位置に留めるために床面に設置される。上記ドアストッパは、第１の球体を第１の割平面により切断した球欠の外形を有する第１のストッパ部と、第２の球体を第２の割平面により切断した球欠の外形を有する第２のストッパ部と、上記第１のストッパ部の切断面と上記第２のストッパ部の切断面とを互いに連結する連結部とを備える。上記第１のストッパ部の球冠及び上記第２のストッパ部の球冠は、それぞれ上記床面と上記ドアのドア面の双方に接触可能に構成される。
【０００６】
このような構成によれば、連結部によってドアを跨いだ状態で第１のストッパ部と第２のストッパ部とを両側のドア面にそれぞれ接触させることができるので、ドアの移動を両方向で制止することができる。したがって、ドアクローザが装備されていない場合であってもドアを所望の位置に留めることができる。また、ドアが両方向に移動する可能性がある場合であってもドアを所望の位置に留めることができる。
【０００７】
また、第１のストッパ部及び第２のストッパ部がそれぞれ球欠の外形を有しているため、第１のストッパ部及び第２のストッパ部の重心が球欠の中心からずれるため、第１のストッパ部の切断面及び第２のストッパ部の切断面が上側に位置するように第１のストッパ部と第２のストッパ部にそれぞれ力が作用する。これにより、ドアストッパを床面に設置した際に、第１のストッパ部の切断面と第２のストッパ部の切断面とを互いに連結する連結部が上側に位置するように自然とドアストッパの姿勢が変わるので、連結部が床面に接触しにくく、床面上の塵や埃が連結部に付着しにくい。したがって、使用者がドアストッパを扱う際に把持する部分となる連結部を常に清潔な状態に保つことができる。
【０００８】
上記連結部は、上記第１のストッパ部の上記切断面に固定される第１の固定部と、上記第２のストッパ部の上記切断面に固定される第２の固定部と、上記第１の固定部と上記第２の固定部とを互いに接続する帯部とを有していてもよい。この場合において、連結部の帯部を細くするために、上記連結部の上記帯部の幅は、上記第１の球体の上記第１の割平面との交円の直径及び上記第２の球体の上記第２の割平面との交円の直径よりも小さくすることが好ましい。さらに、上記連結部の上記帯部は、その長手方向の中間部を折り曲げて接着した把手部を有していてもよい。この場合には、使用者が把手部を持つことによりドアストッパの取り扱いが容易になるとともに、帯部が把手部の端部で曲がり易くなるため、ドアストッパの姿勢の調整が容易になる。
【０００９】
上記第１の球体の半径と上記第２の球体の半径とが同一であってもよく、異なっていてもよい。上記第１の球体の中心から上記第１の割平面までの距離と、上記第２の球体の中心から上記第２の割平面までの距離とが同一であってもよく、異なっていてもよい。
【発明の効果】
【００１０】
本発明によれば、ドアの移動を両方向で制止することができる衛生的なドアストッパが提供される。
【図面の簡単な説明】
【００１１】
【図１】図１は、本発明の一実施形態におけるドアストッパを示す斜視図である。
【図２】図２は、図１に示すドアストッパの正面図である。
【図３】図３は、図１に示すドアストッパの第１のストッパ部及び第２のストッパ部を示す斜視図である。
【図４】図４は、図１に示すドアストッパの使用態様の一例を示す斜視図である。
【図５】図５は、図４に示す使用態様を模式的に示す断面図である。
【図６】図６は、図１に示すドアストッパの使用態様の他の例を示す斜視図である。
【図７】図７は、本発明の他の実施形態におけるドアストッパを示す正面図である。
【発明を実施するための形態】
【００１２】
以下、本発明に係るドアストッパの実施形態について図１から図７を参照して詳細に説明する。図１から図７において、同一又は相当する構成要素には、同一の符号を付して重複した説明を省略する。また、図１から図７においては、各構成要素の縮尺や寸法が誇張されて示されている場合や一部の構成要素が省略されている場合がある。以下の説明では、特に言及がない場合には、「第１」や「第２」などの用語は、構成要素を互いに区別するために使用されているだけであり、特定の順位や順番を表すものではない。
【００１３】
図１は、本発明の一実施形態におけるドアストッパ１を示す斜視図、図２は、正面図である。図１及び図２に示すように、本実施形態のドアストッパ１は、第１のストッパ部１０と、第２のストッパ部２０と、第１のストッパ部１０と第２のストッパ部２０とを互いに連結する連結部３０とを有している。このドアストッパ１は、全体として中心線Ｓに対して線対称の外形を有している。第１のストッパ部１０及び第２のストッパ部２０は、例えば、ポリブタジエンゴム、エチレンプロピレンジエンモノマー（ＥＰＤＭ）、又はこれらを組み合わせた材料から形成される。
【００１４】
図３は、第１のストッパ部１０及び第２のストッパ部２０を示す斜視図である。図３に示すように、第１のストッパ部１０は、球体５０（第１の球体）を割平面５１（第１の割平面）により切断した球欠の外形を有しており、切断面１２と球冠１４とからなる外表面を有している。第２のストッパ部２０は、球体６０（第２の球体）を割平面６１（第２の割平面）により切断した球欠の外形を有しており、切断面２２と球冠２４とからなる外表面を有している。本実施形態では、球体５０の半径と球体６０の半径とが同一であり、例えばそれぞれ２５ｍｍであるが、球体５０の半径と球体６０の半径とが異なっていてもよい。
【００１５】
また、本実施形態では、割平面５１が球体５０の中心Ｐ1よりも上方に位置し、割平面６１が球体６０の中心Ｐ2よりも上方に位置している。特に、本実施形態では、割平面５１と割平面６１とが同一平面となっている。したがって、球体５０の中心Ｐ1から割平面５１（切断面１２）までの距離Ｌ1（図２参照）と、球体６０の中心Ｐ2から割平面６１（切断面２２）までの距離Ｌ2（図２参照）とが同一となっている。しかしながら、割平面５１と割平面６１とを異なる平面としてもよく、球体５０の中心Ｐ1から割平面５１（切断面１２）までの距離Ｌ1と球体６０の中心Ｐ2から割平面６１までの距離Ｌ2とが異なっていてもよい。
【００１６】
連結部３０は、例えば、エチレン−酢酸ビニル共重合樹脂（ＥＶＡ）や中空成形したポリエチレン樹脂などの軽量で柔軟性を有する材料から形成され、第１のストッパ部１０及び第２のストッパ部２０に比べて非常に軽量となっている。例えば、第１のストッパ部１０及び第２のストッパ部２０の重量はそれぞれ４５ｇであり、連結部３０の重量は２ｇである。また、連結部３０のＺ方向に沿った厚さは例えば５ｍｍである。
【００１７】
図１及び図２に示すように、連結部３０は、第１のストッパ部１０の切断面１２に固定される第１の固定部３１と、第２のストッパ部２０の切断面２２に固定される第２の固定部３２と、第１の固定部３１と第２の固定部３２とを互いに接続する帯部３３とを有している。連結部３０は、全体としてＸ方向に延びており、Ｘ方向に沿った全長は例えば１５０ｍｍである。連結部３０の帯部３３のＹ方向に沿った幅Ｗ（図１参照）は、球体５０の割平面５１との交円の直径Ｄ1（図３参照）よりも小さく、球体６０の割平面６１との交円の直径Ｄ2（図３参照）よりも小さい。このように連結部３０の帯部３３を細くすることにより、帯部３３を曲げ易くして、使用者がドアストッパ１を扱う際に帯部３３を持ちやすくしている。また、連結部３０の帯部３３を細くすることによって、後述するように、ドアを跨いでドアストッパ１を設置する場合に、連結部３０の帯部３３が柔軟に曲がることによって、厚さの異なるドアに対しても適切に連結部３０をフィットさせることができる。
【００１８】
このドアストッパ１では、後述するように、第１のストッパ部１０の球冠１４と第２のストッパ部２０の球冠２４とがそれぞれ床面とドアのドア面に接触できるようになっている。上述したように、第１のストッパ部１０及び第２のストッパ部２０がポリブタジエンゴムなどの材料で形成されることにより、ドアクローザや風などによりドアを移動させる力が働いた場合に、後に詳しく説明するように、第１のストッパ部１０の球冠１４と床面との間、第１のストッパ部１０の球冠１４とドア面との間、第２のストッパ部２０の球冠２４と床面との間、及び第２のストッパ部２０の球冠２４とドア面との間には大きな摩擦力が生じ、これらの摩擦力によりドアが所定の位置に留まるようになっている。
【００１９】
図４は、ドアストッパ１の使用態様の一例を示す斜視図、図５は、この使用態様を模式的に示す断面図である。この使用態様は、ドアクローザが装備されていない場合やドア５００が両方向に移動する可能性がある場合に適用できるものである。この使用態様では、図４に示すように、第１のストッパ部１０と第２のストッパ部２０との間にドア５００を挟み込んでドアストッパ１を使用する。
【００２０】
この状態では、図５に示すように、第１のストッパ部１０の球冠１４が床面６００とドア５００の一方のドア面５０１とにそれぞれ接触している。また、第２のストッパ部２０の球冠２４が床面６００とドア５００の他方のドア面５０２とにそれぞれ接触している。ドアストッパ１の連結部３０の帯部３３は、ドア５００の側面５０３を跨いで側面５０３の近傍に位置している。
【００２１】
ここで、ドア５００が図５のＡ1方向に移動しようとした場合を考える。図５においてドアストッパ１の第１のストッパ部１０の球冠１４は、床接触点１４Ａにおいて床面６００に接触しており、ドア接触点１４Ｂにおいてドア面５０１に接触している。この第１のストッパ部１０には、Ａ1方向に移動するドア５００から力Ｆ1が作用するが、第１のストッパ部１０はポリブタジエンゴムなどの材料で形成されているため、第１のストッパ部１０の球冠１４の床接触点１４Ａと床面６００との間には大きな摩擦力Ｒ1が生じる。したがって、この摩擦力Ｒ1によって、第１のストッパ部１０がＡ1方向に移動することが妨げられる。
【００２２】
また、ドア５００から第１のストッパ部１０に作用する力Ｆ1は、ドア接触点１４Ｂから床接触点１４Ａに向かう方向に作用する力と、この力に垂直な方向に作用する力ＦC1とに分解することができるが、この力ＦC1によって第１のストッパ部１０には床接触点１４Ａを中心とするモーメントが作用する。しかしながら、第１のストッパ部１０はポリブタジエンゴムなどの材料で形成されているため、第１のストッパ部１０の球冠１４のドア接触点１４Ｂとドア面５０１との間には大きな摩擦力Ｒ2が生じる。したがって、この摩擦力Ｒ2によって、第１のストッパ部１０が床接触点１４Ａを中心として回転することが妨げられる。このように、ドア５００がＡ1方向に移動しようとしても、第１のストッパ部１０はＡ1方向に移動することも、床接触点１４Ａを中心として回転することもできない。これにより、ドア５００は、Ａ1方向に移動することができず、その位置に留まる。
【００２３】
同様に、ドア５００がＡ2方向に移動しようとした場合を考える。図５においてドアストッパ１の第２のストッパ部２０の球冠２４は、床接触点２４Ａにおいて床面６００に接触しており、ドア接触点２４Ｂにおいてドア面５０２に接触している。この第２のストッパ部２０には、Ａ2方向に移動するドア５００から力Ｆ2が作用するが、第２のストッパ部２０はポリブタジエンゴムなどの材料で形成されているため、第２のストッパ部２０の球冠２４の床接触点２４Ａと床面６００との間には大きな摩擦力Ｒ3が生じる。したがって、この摩擦力Ｒ3によって、第２のストッパ部２０がＡ2方向に移動することが妨げられる。
【００２４】
また、ドア５００から第２のストッパ部２０に作用する力Ｆ2によって、第２のストッパ部２０には床接触点２４Ａを中心とするモーメントが作用するが、第２のストッパ部２０はポリブタジエンゴムなどの材料で形成されているため、第２のストッパ部２０の球冠２４のドア接触点２４Ｂとドア面５０２との間には大きな摩擦力Ｒ4が生じる。したがって、この摩擦力Ｒ4によって、第２のストッパ部２０が床接触点２４Ａを中心として回転することが妨げられる。このように、ドア５００がＡ2方向に移動しようとしても、第２のストッパ部２０はＡ2方向に移動することも、床接触点２４Ａを中心として回転することもできない。これにより、ドア５００は、Ａ2方向に移動することができず、その位置に留まる。
【００２５】
このように、図５に示すドアストッパ１の使用態様においては、ドア５００がＡ1方向及びＡ2方向のいずれにも移動することができず、その位置に留まる。このような使用態様によれば、ドアストッパ１の連結部３０によってドア５００を跨いだ状態で、第１のストッパ部１０と第２のストッパ部２０とを両側のドア面５０１，５０２にそれぞれ接触させることができるので、ドア５００の移動を両方向で制止することができる。したがって、ドアクローザが装備されていない場合であってもドア５００を所望の位置に留めることができる。また、ドア５００が両方向に移動する可能性がある場合であってもドア５００を所望の位置に留めることができる。なお、本実施形態におけるドアストッパ１は、ドア５００と床面６００との間の隙間に差し込んで使用するものではないため、ドア５００と床面６００との間の隙間のサイズが変わっても使用することが可能である。
【００２６】
また、第１のストッパ部１０及び第２のストッパ部２０が球欠の外形を有しているため、図２に示すように、第１のストッパ部１０の重心Ｑ1は球体５０の中心Ｐ1から下方にずれた位置にあり、第２のストッパ部２０の重心Ｑ2は球体５０の中心Ｐ2から下方にずれた位置にある。このため、第１のストッパ部１０が傾いた場合にはその切断面１２が上側に位置するように（換言すれば図２に示す状態となるように）第１のストッパ部１０に力が作用し、第２のストッパ部２０が傾いた場合にはその切断面２２が上側に位置するように（換言すれば図２に示す状態となるように）第２のストッパ部２０に力が作用する。したがって、ドアストッパ１を床面６００に設置した際に、第１のストッパ部１０の切断面１２と第２のストッパ部２０の切断面２２とを接続する連結部３０が上側に位置するように自然とドアストッパ１の姿勢が変わるので、連結部３０が床面６００に接触しにくく、床面６００上の塵や埃が連結部３０に付着しにくい。したがって、使用者がドアストッパ１を扱う際に把持する部分となる連結部３０の帯部３３を常に清潔な状態に保つことができる。
【００２７】
また、上述したように、連結部３０が上側に位置するように自然とドアストッパ１の姿勢が変わるため、図４に示す使用態様では、連結部３０の帯部３３がドア５００の側面５０３に沿って位置することとなる。このように、連結部３０の帯部３３がドア５００の側面５０３に沿うことになるため、ドアストッパ１で留めたドア５００の近くを人が通る際に、連結部３０の帯部３３が通行の邪魔になったり、足に引っ掛かって躓いたりするようなことも少ない。
【００２８】
さらに、ドア５００の直ぐ横に壁があるような部屋では、ドア５００が僅かしか開いていないと、ドア５００と壁との間には狭い空間しかないが、上述したように連結部３０の帯部３３がドア５００の側面５０３に沿うこととなるため、そのような場合にもドアストッパ１を設置することが可能である。
【００２９】
また、ドアクローザが装備されている場合など、ドア５００の移動を一方向にのみ規制するだけでよい場合は、図６に示すように、ドア５００の一方のドア面（例えばドア面５０１）側にドアストッパ１全体を配置してもよい。この場合には、第１のストッパ部１０の球冠１４が床面６００とドア５００のドア面５０１とにそれぞれ接触し、第２のストッパ部２０の球冠２４が床面６００とドア５００のドア面５０１とにそれぞれ接触する。したがって、ドアクローザなどの力を受けてドア５００がドアストッパ１側に移動しようとしても、図５に参照して説明したのと同じ原理により、第１のストッパ部１０は、球冠１４と床面６００との間に生じる大きな摩擦力によりドア５００の移動方向に移動することができず、また、球冠１４とドア面５０１との間に生じる大きな摩擦力により回転することもできない。同様に、ドア５００がドアストッパ１側に移動しようとしても、第２のストッパ部２０は、球冠２４と床面６００との間に生じる大きな摩擦力によりドア５００の移動方向に移動することができず、また、球冠２４とドア面５０１との間に生じる大きな摩擦力により回転することもできない。これにより、ドア５００は移動することができず、その位置に留まる。この図６に示す使用態様では、ドア５００の一方のドア面５０１側にドアストッパ１全体を配置するだけでドア５００の移動を制止できるため、ドアストッパ１の設置作業が極めて簡単である。
【００３０】
上述した実施形態では、ドアストッパ１の連結部３０がＸ方向に延びているが、図７に示すように、連結部３０の帯部３３の長手方向の中間部を折り曲げて接着し、把手部１３５を形成してもよい。この場合には、使用者が把手部１３５を持つことによりドアストッパ１の取り扱いが容易になるとともに、帯部３３が把手部１３５の端部１３５Ａ，１３５Ｂで曲がり易くなるため、図４に示す使用態様においてドアストッパ１の姿勢の調整が容易になる。
【００３１】
なお、本明細書において使用した用語「上」、「下」、その他の位置関係を示す用語は、図示した実施形態との関連において使用されているのであり、装置の相対的な位置関係によって変化するものである。
【００３２】
これまで本発明の好ましい実施形態について説明したが、本発明は上述の実施形態に限定されず、その技術的思想の範囲内において種々異なる形態にて実施されてよいことは言うまでもない。
【符号の説明】
【００３３】
１      ドアストッパ
１０      第１のストッパ部
１２，２２      切断面
１４，２４      球冠
２０      第２のストッパ部
３０      連結部
３１      第１の固定部
３２      第２の固定部
３３      帯部
５０      （第１の）球体
５１      （第１の）割平面
６０      （第２の）球体
６１      （第２の）割平面
１３５      把手部
５００      ドア
５０１，５０２      ドア面
５０３      側面
６００      床面
【要約】
【課題】ドアの移動を両方向で制止することができる衛生的なドアストッパを提供する。
【解決手段】ドアストッパ１は、ドア５００を所定の位置に留めるために床面６００に設置される。ドアストッパ１は、第１の球体５０を第１の割平面５１により切断した球欠の外形を有する第１のストッパ部１０と、第２の球体６０を第２の割平面６１により切断した球欠の外形を有する第２のストッパ部２０と、第１のストッパ部１０の切断面１２と第２のストッパ部２０の切断面２２とを互いに連結する連結部３０とを備える。第１のストッパ部１０の球冠２４及び第２のストッパ部２０の球冠２４は、それぞれ床面６００とドア５００のドア面５０１，５０２の双方に接触可能に構成される。
【選択図】図４【図１】
0006719696.tif 000002
【図２】
0006719696.tif 000003
【図３】
0006719696.tif 000004
【図４】
0006719696.tif 000005
【図５】
0006719696.tif 000006
【図６】
0006719696.tif 000007
【図７】
0006719696.tif 000008